(57)【特許請求の範囲】
【請求項１】
所定位置に放電部を有する放電電極と、放電電極の側方を囲むように形成されているハウジングと、放電電極と対向して位置するように設置される対向電極と、放電電極を冷却して空気中の水分を放電電極に結露させることにより放電部に水を供給する水供給手段と、放電部に供給される結露水を放電電極と対向電極の間に高電圧を印加することによって放電部で霧化させる静電霧化装置において、前記ハウジングは、ハウジング本体部と保持部とからなり、該保持部は、筒状部の下部両側に一対の脚部が垂設され、該筒状部の両脚部間のそれぞれに空気孔を設け、放電部における結露水の供給状態及び霧化状態を外部より視認できる視認用開口部を前記保持部の前記筒状部であって、前記空気孔の上縁に連続して開口するように設け、前記空気孔は放電電極の先端部よりも下方に設け、前記視認用開口部は放電電極の先端部と同じ高さに位置するよう設けてあることを特徴とする静電霧化装置。
【請求項２】
所定位置に放電部を有する放電電極と、放電電極の側方を囲むように形成されているハウジングと、放電電極と対向して位置するように設置される対向電極と、放電電極を冷却して空気中の水分を放電電極に結露させることにより放電部に水を供給する水供給手段と、放電部に供給される結露水を放電電極と対向電極の間に高電圧を印加することによって放電部で霧化させる静電霧化装置において、前記ハウジングは、ハウジング本体部と保持部とからなり、該保持部は、筒状部の下部両側に一対の脚部が垂設され、該筒状部の両脚部間のそれぞれに空気孔を設け、放電部における結露水の供給状態及び霧化状態を外部より視認できる視認用開口部を前記保持部の前記筒状部であって、前記空気孔より前記対向電極側に離れた位置に設け、前記空気孔は放電電極の先端部よりも下方に設け、前記視認用開口部は放電電極の先端部と同じ高さに位置するよう設けてあることを特徴とする静電霧化装置。
【請求項３】
前記空気孔と前記視認用開口部の間の前記保持部の内側面に空気を整流するための整流片が形成されていることを特徴とする請求項２記載の静電霧化装置。
【請求項４】
前記空気孔と前記視認用開口部の間の前記保持部の内側面に蓋部が形成され、該蓋部は、前記視認用開口部を開閉するとともに、前記視認用開口部を開口した場合に、前記保持部の内側面より突出して、空気を整流させることを特徴とする請求項２記載の静電霧化装置。
【請求項５】
前記筒状部の外側面又は内側面に、前記視認用開口部を閉塞するための蓋部が開閉可能に設けられていることを特徴とする請求項１乃至４のいずれか一項記載の静電霧化装置。
【請求項６】
前記筒状部の内側面を白色としたことを特徴とする請求項１乃至５のいずれか一項記載の静電霧化装置。
【請求項７】
前記視認用開口部を前記放電電極を中心に対向するよう設けたことを特徴とする請求項１乃至６のいずれか一項記載の静電霧化装置。
【請求項８】
請求項１乃至６のいずれか一項記載の静電霧化装置の検査システムであって、視認用開口部の外側正面に照明器具とカメラを配し、放電部における結露水の供給状態及び霧化状態を前記カメラにて撮像することを特徴とする静電霧化装置の検査システム。
【請求項９】
請求項７記載の静電霧化装置の検査システムであって、一方の視認用開口部の外側正面に照明器具とカメラを配し、他方の視認用開口部の外側正面に前記カメラと対向するよう反射板を設置し、放電部における結露水の供給状態及び霧化状態を前記カメラにて撮像することを特徴とする静電霧化装置の検査システム。
【発明の詳細な説明】
【技術分野】
【０００１】
本願発明は、静電霧化現象によりナノメータサイズの帯電微粒子水を発生させる静電霧化装置及び同装置の検査システムに関するものである。
【背景技術】
【０００２】
従来から帯電微粒子水を発生させるための静電霧化装置として特許文献１に示されている発明が知られている。この従来の静電霧化装置２は、図１１に示すように、放電電極１と、放電電極１に対向して位置する対向電極４と、放電電極１に水を供給する水供給手段とを備え、放電電極１と対向電極４との間に高電圧を印加することで放電電極１に保持される水を霧化させ、帯電微粒子水を発生させるようになっている。放電電極１に水を供給する水供給手段としては、吸熱体により放電電極１を冷却して空気中の水分を放電電極１に結露させることにより放電電極１に結露水を生成させるものである。
【０００３】
ハウジング１４は、ハウジング本体部１４ａと保持部１４ｂとで構成されている。ハウジング本体部１４ａには、下面が開口した凹部が形成されており、この凹部が吸熱体を収容する吸熱体収容部となっている。さらに、凹部の底部の中央には放電電極１を挿通するための孔が設けられている。吸熱体は、吸熱体収容部３１に収容され、放電電極１は、基端部１ｂを、吸熱体の冷却側に設けた冷却用絶縁板に面接触させ、孔に挿入して固定されている。
【０００４】
さらに、ハウジング１４には放電電極１の側方を囲む保持部１４ｂが一体に形成してあり、保持部１４ｂに対向電極４を設けて、対向電極４を放電電極１の先端と対向させるようになっている。
【０００５】
さらに、保持部１４ｂの側面には、発生した帯電微粒子水をイオン風により効率よく且つ広範囲に放出するために、空気孔１８が設けてある。
【特許文献１】特開２００６−２０５０１３号公報
【発明の開示】
【発明が解決しようとする課題】
【０００６】
放電電極に結露水が生成されていることを確認する手段として、結露水が霧化される放電電極の放電部に結露水が供給されていることを外部より視認して行うことが考えられる。しかし、上記の従来例において、保持部１４ｂは、外部からハウジング１４内に流入する空気流を、対向電極４の開口部１７へ向かって整流するために、放電電極１の側方を囲むように形成されている。このことにより、静電霧化装置２は、外部より放電部１ａの結露水の供給状態を容易に視認することができないものである。
【０００７】
本願発明は、上記背景技術に鑑みて発明されたものであり、その目的は、対向電極の開口部へ向かう空気流の整流を妨げることなく、放電電極の結露水が霧化される放電部に結露水が供給されていることを外部より容易に視認することができる静電霧化装置及び同装置の検査システムを提供することを課題とするものである。
【課題を解決するための手段】
【０００８】
上記課題を解決するために、本願請求項１記載の発明では、所定位置に放電部を有する放電電極と、放電電極の側方を囲むように形成されているハウジングと、放電電極と対向して位置するように設置される対向電極と、放電電極を冷却して空気中の水分を放電電極に結露させることにより放電部に水を供給する水供給手段と、放電部に供給される結露水を放電電極と対向電極の間に高電圧を印加することによって放電部で霧化させる静電霧化装置において、前記ハウジングは、ハウジング本体部と保持部とからなり、該保持部は、筒状部の下部両側に一対の脚部が垂設され、該筒状部の両脚部間のそれぞれに空気孔を設け、放電部における結露水の供給状態及び霧化状態を外部より視認できる視認用開口部を前記保持部の前記筒状部であって、前記空気孔の上縁に連続して開口するように設け、前記空気孔は放電電極の先端部よりも下方に設け、前記視認用開口部は放電電極の先端部と同じ高さに位置するよう設けてあることを特徴としている。
【０００９】
本願請求項２記載の発明では、所定位置に放電部を有する放電電極と、放電電極の側方を囲むように形成されているハウジングと、放電電極と対向して位置するように設置される対向電極と、放電電極を冷却して空気中の水分を放電電極に結露させることにより放電部に水を供給する水供給手段と、放電部に供給される結露水を放電電極と対向電極の間に高電圧を印加することによって放電部で霧化させる静電霧化装置において、前記ハウジングは、ハウジング本体部と保持部とからなり、該保持部は、筒状部の下部両側に一対の脚部が垂設され、該筒状部の両脚部間のそれぞれに空気孔を設け、放電部における結露水の供給状態及び霧化状態を外部より視認できる視認用開口部を前記保持部の前記筒状部であって、前記空気孔より前記対向電極側に離れた位置に設け、前記空気孔は放電電極の先端部よりも下方に設け、前記視認用開口部は放電電極の先端部と同じ高さに位置するよう設けてあることを特徴としている。
【００１０】
本願請求項３記載の発明では、上記請求項２記載の静電霧化装置において、前記空気孔と前記視認用開口部の間の前記保持部の内側面に空気を整流するための整流片が形成されていることを特徴としている。
【００１１】
本願請求項４記載の発明では、上記請求項２記載の静電霧化装置において、前記空気孔と前記視認用開口部の間の前記保持部の内側面に蓋部が形成され、該蓋部は、前記視認用開口部を開閉するとともに、前記視認用開口部を開口した場合に、前記保持部の内側面より突出して、空気を整流させることを特徴としている。
【００１２】
本願請求項５記載の発明では、上記請求項１乃至４のいずれか一項記載の静電霧化装置において、前記筒状部の外側面又は内側面に、前記視認用開口部を閉塞するための蓋部が開閉可能に設けられていることを特徴としている。
【００１３】
本願請求項６記載の発明では、上記請求項１乃至５のいずれか一項記載の静電霧化装置において、前記筒状部の内側面を白色としたことを特徴としている。
【００１４】
本願請求項７記載の発明では、上記請求項１乃至６のいずれか一項記載の静電霧化装置において、前記視認用開口部を前記放電電極を中心に対向するよう設けたことを特徴としている。
【００１５】
本願請求項８記載の発明では、上記請求項１乃至６のいずれか一項記載の静電霧化装置の検査システムにおいて、視認用開口部の外側正面に照明器具とカメラを配し、放電部における結露水の供給状態及び霧化状態を前記カメラにて撮像することを特徴としている。
【００１６】
本願請求項９記載の発明では、上記請求項７記載の静電霧化装置の検査システムにおいて、一方の視認用開口部の外側正面に照明器具とカメラを配し、他方の視認用開口部の外側正面に前記カメラと対向するよう反射板を設置し、放電部における結露水の供給状態及び霧化状態を前記カメラにて撮像することを特徴としている。
【発明の効果】
【００１７】
本願請求項１記載の発明の静電霧化装置においては、ハウジングに、結露水が放電部に供給されることを外部より視認できる視認用開口部を保持部の筒状部であって、空気孔の上縁に連続して開口するように設けている。このことによって、静電霧化装置を製造する際の検査工程時や商品に組み込んで使用される際においても、放電部への結露水の供給が行われていること及び放電部において結露水が霧化されていることを視認することができるので、容易に性能確認及び動作確認を行うことができる。また、視認用開口部が空気孔と連続していることから、視認用開口部を一体成形等の加工により、容易に形成することができる。
【００１８】
本願請求項２記載の発明の静電霧化装置においては、ハウジングに、結露水が放電部に供給されることを外部より視認できる視認用開口部を保持部の筒状部であって、空気孔より対向電極側に離れた位置に設けている。このことによって、視認用開口部と空気孔が分離されるので空気孔の高さを抑えることができ、対向電極の開口部へ向かう空気流の整流を調整しやすくすることができる。
【００１９】
本願請求項３記載の発明の静電霧化装置においては、空気孔と視認用開口部の間の保持部の内側面に空気を整流するための整流片を形成している。このことによって、放電部への結露水の供給が行われていること及び放電部において結露水が霧化されていることを、対向電極の開口部へ向かう空気流の整流を妨げることなく、視認することができる。
【００２０】
本願請求項４記載の発明の静電霧化装置においては、視認用開口部が開閉可能であるとともに、結露水が放電部に供給されることを外部より視認しない場合には、視認用開口部を閉塞することができ、視認する場合には、蓋部は保持部の内側面より突出して、空気を整流させることができる。このことによって、放電部の結露水の供給状態を視認しない場合には、視認用開口部から流入する空気流を確実に遮断することができるとともに、視認する場合には、視認用開口部を開口すると蓋部が整流片として機能することから、対向電極の開口部へ向かって流れる空気流を整流する性能を向上させることができる。
【００２１】
本願請求項５記載の発明の静電霧化装置においては、特に、視認用開口部が開閉可能であることによって、結露水が放電部に供給されることを外部より視認しない場合には、視認用開口部を閉塞することができる。このことによって、放電部の結露水の供給状態を視認しない場合には、視認用開口部から流入する空気流を確実に遮断することができ、対向電極の開口部へ向かって流れる空気流を整流する性能を向上させることができる。
【００２２】
本願請求項６記載の発明の静電霧化装置においては、筒状部の内側面を白色としている。このことによって、視認用開口部から入射された光が筒状部の内側面で反射して放電部の輪郭のコントラストを上げるため、放電部における結露水の供給状態及び霧化状態をより視認しやすくすることができる。
【００２３】
本願請求項７記載の発明の静電霧化装置においては、視認用開口部を放電電極を中心に対向するよう設けている。このことによって、静電霧化装置を製造する際の検査工程時や商品に組み込んで使用される際においても、放電部への結露水の供給が行われていること及び放電部において結露水が霧化されていることを、対向するそれぞれの方向から視認することができるので、性能確認及び動作確認を行いやすくすることができる。また、静電霧化装置を商品に組み込む際の自由度を高めることができる。
【００２４】
本願請求項８記載の発明の静電霧化装置の検査システムにおいては、視認用開口部の外側正面に照明器具とカメラを配し、放電部における結露水の供給状態及び霧化状態を前記カメラにて撮像するようにしている。このことによって、視認用開口部から入射された光が筒状部の内側面で反射して放電部の輪郭のコントラストを上げるとともに、特に、筒状部の内側面を白色とした場合には、撮像の背景が白色となり、放電部における結露水の供給状態及び霧化状態をより視認しやすくすることができる。
【００２５】
本願請求項９記載の発明の静電霧化装置の検査システムにおいては、一方の視認用開口部の外側正面に照明器具とカメラを配し、他方の視認用開口部の外側正面にカメラと対向するよう反射板を設置し、放電部における結露水の供給状態及び霧化状態をカメラにて撮像するようにしている。このことによって、一方の視認用開口部から入射して他方の視認用開口部を通過した光だけでなく、一方の視認用開口部から入射しなかった光も反射板にて反射して他方の視認用開口部からの入射光とすることができるので、両方の視認用開口部から光を効率的に集めることができるため、放電部の輪郭のコントラストが上がり、放電部における結露水の供給状態及び霧化状態をより視認しやすくすることができる。
【発明を実施するための最良の形態】
【００２６】
図１〜図４は、本願発明の第１の実施形態である静電霧化装置を示している。
【００２７】
図１〜図４に示すように、所定位置（本実施形態では先端部）に放電部１ａを有する放電電極１と、放電電極１の側方を囲むように形成されているハウジング１４と、放電電極１と対向して位置するように設置される対向電極４と、放電電極１を冷却して空気中の水分を放電電極１に結露させることにより放電部１ａに水を供給する水供給手段と、放電部１ａに供給される結露水を放電電極１と対向電極４の間に高電圧を印加することによって放電部１ａで霧化させる静電霧化装置２において、ハウジング１４は、ハウジング本体部１４ａと保持部１４ｂとからなり、保持部１４ｂは、筒状部４１の下部両側に一対の脚部４２が垂設され、筒状部４１の両脚部４２間のそれぞれに空気孔１８を設け、放電部１ａにおける結露水の供給状態及び霧化状態を外部より視認できる視認用開口部１９を保持部１４ｂの筒状部４１であって、空気孔１８の上縁に連続して開口するように設けてある。
【００２８】
以下、この実施形態の静電霧化装置を、より具体的詳細に説明する。
【００２９】
図１〜図４に示すように、静電霧化装置２は、放電電極１と、この放電電極１を冷却するための吸熱体３と、対向電極４と、ハウジング１４で構成してある。放電電極１を冷却するための吸熱体３としては、ペルチェモジュール１０を使用している。
【００３０】
ペルチェモジュール１０は、例えば熱伝導性の高いアルミナや窒化アルミニウムからなる絶縁板の片面側に回路を形成してある一対のペルチェ回路板を、互いの回路が向き合うように対向させ、多数列設してあるＢｉＴｅ系やＳｂＴｅ系のＰ型及びｎ型の熱電素子を両ペルチェ回路板間で挟持することで隣接するＰ型及びｎ型の熱電素子同士を両側の回路で電気的に直列に接続させている。ペルチェモジュール１０は、接続されるペルチェ入力リード線（図示せず）を介してなされる熱電素子への通電により、一方のペルチェ回路板側から他方のペルチェ回路板側に向けて熱が移動するように設けたものである。
【００３１】
上記ペルチェモジュール１０の冷却側のペルチェ回路板の外側には、セラミック、アルミナや窒化アルミニウム等からなる高熱伝導性及び電気的絶縁性の高い冷却用絶縁板１２が接続してあり、また、上記他方の側（以下、放熱側という）のペルチェ回路板の外側には、アルミニウム等からなる高熱伝導性の放熱部１３が接続してある。放熱部１３に放熱フィン１３ａが設けてあって、放電電極１の冷却を効率よく行えるようにしてある。なお、冷却用絶縁板１２とペルチェモジュール１０、あるいは放熱部１３とペルチェモジュール１０の間には、熱伝導材料（図示せず）が介在していることが望ましい。
【００３２】
放電電極１は、冷却用絶縁板１２上に立設された円柱形状の部材であり、熱伝導率が高く且つ電気伝導率の高い材料で構成されていることが望ましく、例えば、銅、アルミニウム、銀、あるいはそれらの合金などがよい。また、放電電極１の先端の放電部１ａは、球状となるように形成されている。なお、放電部１ａは、鋭利な円錐状となるように形成されていてもよい。
【００３３】
対向電極４は、放電電極１の先端から適当な距離をおいて帯電微粒子水放出用の開口部１７を設けてハウジング１４の保持部１４ｂに固定されており、放電電極１と対向電極４との間で高電圧を印加して、放電電極１の先端の放電部１ａより放電するものである。なお、対向電極４は、電気伝導性を有する材質であることが必要で、電気伝導性を示す金属、樹脂が良い。
【００３４】
ハウジング１４は、ハウジング本体部１４ａと保持部１４ｂとにより構成されている。
【００３５】
ハウジング本体部１４ａには、下面が開口した凹部３１ａが形成されており、この凹部３１ａが吸熱体３であるペルチェモジュール１０を収容する吸熱体収容部３１となっている。さらに、凹部３１ａの底部の中央には放電電極１を挿通するための孔３２が設けられている。ペルチェモジュール１０は、吸熱体収容部３１に収容され、放電電極１は、基端部１ｂを、ペルチェモジュール１０の冷却側に設けた冷却用絶縁板１２に面接触させ、孔３２に挿入して固定されている。
【００３６】
保持部１４ｂは、筒状部４１の下部両側に下方に向けてＬ状をした一対の脚部４２が垂設してあり、一対の脚部４２には固着具４６を挿入する挿入孔４２ａが形成されている。保持部１４ｂは、放電電極１の側方を囲むように形成されており、保持部１４ｂの上端部には、対向電極４が放電電極１と対向するように保持されている。さらに、保持部１４ｂは、筒状部４１の両脚部４２間のそれぞれに空気孔１８を設け、さらに、筒状部４１に視認用開口部１９を設けている。
【００３７】
保持部１４ｂは、挿入孔４２ａに固着具４６を挿入して、放熱部１３に固着される。ハウジング本体部１４ａは、保持部１４ｂと放熱部１３とで挟持することで、ハウジング本体部１４ａと保持部１４ｂとが組み合わせて結合されることになる。
【００３８】
なお、ハウジング１４は、絶縁性を有する材質で、且つ熱損失を防ぐために熱伝導率が低い材質であることが望ましく、例えば、ＡＢＳ、ＰＰＳ、ＰＢＴなどの樹脂がよい。
【００３９】
ここで、筒状部４１の内側面は、放電部１ａが視認しやすい白色であることが望ましく、この白色には、例えば、乳白色、黄白色、淡黄色など光を反射しやすい色も含まれる。これにより、視認用開口部１９から入射された光が筒状部４１の内側面で反射して放電部１ａの輪郭のコントラストを上げるため、放電部１ａにおける結露水の供給状態及び霧化状態をより視認しやすくすることができる。
【００４０】
なお、筒状部４１の内側面を白色とするために、ハウジング１４を、白色の樹脂で成形してもよいし、筒状部４１の内側面に白色の塗料を塗布したり、白色のシートを貼付したりしてもよい。ハウジング１４を、白色の樹脂で成形すると、製造工程が少なくなり簡便である。一方、ハウジングの外側面と内側面の色を変えたい場合には、白色の塗料やシートを用いることで、外観色の自由度を確保しつつ、放電部１ａの視認性をより向上させることができる。
【００４１】
また、図示を省略しているが、放電電極１側に高電圧を印加する場合、冷却用絶縁板１２と放電電極１の周囲を絶縁性の樹脂で封止する必要がある。すなわち、このように絶縁性の樹脂で封止することで、高電圧印加時に、放電電極１に結露した水によって、ペルチェモジュール１０や放熱フィン１３ａへの漏電を防ぐようになっている。なお、封止樹脂としては、エポキシ系樹脂、ポリアミド系樹脂、ウレタン系樹脂等が有効である。
【００４２】
帯電微粒子水を発生させる原理は以下の通りである。まず、ペルチェモジュール１０に通電を行い、冷却用絶縁板１２と共に放電電極１を冷却する。放電電極１が露点温度よりも下回ると空気中の水分が放電電極１に結露し始める。このようにして放電電極１に結露水が十分に生成されると、放電電極１と対向電極４との間に高電圧を印加する。放電電極１と対向電極４との間に高電圧を印加すると、放電電極１の先端の放電部１ａに生成された結露水が帯電し、この帯電した結露水にクーロン力が働き、この結露水が先端の尖った錐状に盛り上がる（テイラーコーン）。この時印加される電圧が水の表面張力を超えて分裂、飛散（レイリー分裂）を起こさせることができる高電圧であれば、放電部１ａに生成した結露水はテイラーコーン形状となってレイリー分裂を起こしてナノメータサイズの帯電微粒子水が発生するという静電霧化がなされ、大気中に放出される。
【００４３】
このようにして発生したナノメータサイズの帯電微粒子水は活性種（ヒドロキシラジカル、スパーオキサイド等）を持ったナノメータサイズの帯電微粒子水であるため、これを室内に放出することで、室内の空気の脱臭のみならず、室内壁面や衣類等に付着して壁面や衣類等に付着した臭いを除去することができ、また、このような付着脱臭性能に加え、更に、アレルゲン除去性能、除菌性能等がある。
【００４４】
この場合、マイナスイオンを含んだミストを放出させるには、対向電極４を接地し、放電電極１に負の高電圧を印加するか、あるいは、対向電極４に正の高電圧を印加し、放電電極１を接地すればよい。また、プラスイオンを含んだミストを放出させるには、対向電極４を接地し、放電電極１に正の高電圧を印加するか、あるいは、対向電極４に負の高電圧を印加し、放電電極１を接地すればよい。
【００４５】
次に、空気孔１８及び視認用開口部１９について図１〜図４に基づいて説明する。
【００４６】
帯電微粒子水は、放電電極１と対向電極４の間に高電圧を印加して、放電部１ａに供給される結露水を霧化することによって発生される。この場合に、放電電極１から対向電極４へ向けてイオン風が生じ、この発生したイオン風によって保持部１４ｂ内に放電電極１から対向電極４へ向けた方向への空気流が生じる。ここで、図４に示すように、保持部１４ｂの筒状部４１に空気孔１８を設けることによって、外部の空気を流入させて保持部１４ｂ内に発生した空気流を整流することができる。帯電微粒子水は、整流された空気流によって、対向電極４の開口部１７から外部に効率的に飛散させて放出される。
【００４７】
ここで、空気孔１８の開口面積は、対向電極４の開口の面積と同等か又はそれ以上であることが望ましく、これにより、流入する空気流と排出する空気流との不整合をなくし、帯電微粒子水を効率よく外部に放出することができる。また、放電電極１から対向電極４へ向けた方向へ空気流を整流するために、空気孔１８は、放電電極１の先端部よりも下方に設けることが好ましく、このため、保持部１４ｂの下部に設けられている。
【００４８】
さらに、放電電極１の先端部にある放電部１ａに結露水が供給されていることを、外部から視認できるように、保持部１４ｂの筒状部４１に視認用開口部１９が設けられている。この視認用開口部１９は、保持部１４ｂの側方より視認しやすいように、放電電極１の先端部の放電部１ａと同じ高さに位置するように配設されていることが望ましい。本実施形態では、視認用開口部１９は、空気孔１８の上縁中央に連続して開口するように設けられている。視認用開口部１９の幅は、放電電極１の径よりも大きく、視認用開口部１９の上端は、放電電極１の先端の放電部１ａと同じ高さよりも対向電極４側、すなわち放電部１ａより高い位置まで開口されている。
【００４９】
なお、本実施形態の視認用開口部１９は、空気孔１８の上縁中央に設けられているが、視認される状況に応じて配置位置は必ずしも中央でなくてもよく、流入する空気流の外乱とならない程度に、複数個所に設けてもよい。また、本実施形態の視認用開口部１９の上端の形状は、円弧状であるが、これに限定されるものではない。
【００５０】
ここで、視認用開口部１９を放電電極１を中心に対向するよう設けた場合には、静電霧化装置２を製造する際の検査工程時や商品に組み込んで使用される際においても、放電部１ａへの結露水の供給が行われていること及び放電部１ａにおいて結露水が霧化されていることを、対向するそれぞれの方向から視認することができるので、性能確認及び動作確認を行いやすくすることができる。また、静電霧化装置２を商品に組み込む際の自由度を高めることができる。
【００５１】
したがって、視認用開口部１９を保持部１４ｂの筒状部４１であって、空気孔１８の上縁に連続して開口するように設けることによって、静電霧化装置２を製造する際の検査工程時や商品に組み込んで使用される際においても、放電部１ａへの結露水の供給が行われていること及び放電部１ａにおいて結露水が霧化されていることを視認することができるので、容易に性能確認及び動作確認を行うことができる。また、視認用開口部１９が空気孔１８と連続していることから、視認用開口部１９を一体成形等の加工により、容易に形成することができる。
【００５２】
図５及び図６は、本願発明の第２の実施形態である静電霧化装置を示している。ここでは、上記第１の実施形態と相違する事項についてのみ説明し、その他の事項（構成、作用効果等）については、上記第１の実施形態と同様であるのでその説明を省略する。
【００５３】
図５及び図６に示すように、所定位置に放電部１ａを有する放電電極１と、放電電極１の側方を囲むように形成されているハウジング１４と、放電電極１と対向して位置するように設置される対向電極４と、放電電極１を冷却して空気中の水分を放電電極１に結露させることにより放電部１ａに水を供給する水供給手段と、放電部１ａに供給される結露水を放電電極１と対向電極４の間に高電圧を印加することによって放電部１ａで霧化させる静電霧化装置２において、ハウジング１４は、ハウジング本体部１４ａと保持部１４ｂとからなり、保持部１４ｂは、筒状部４１の下部両側に一対の脚部４２が垂設され、筒状部４１の両脚部４２間のそれぞれに空気孔１８を設け、放電部１ａにおける結露水の供給状態及び霧化状態を外部より視認できる視認用開口部１９を保持部１４ｂの筒状部４１であって、空気孔１８より対向電極４側に離れた位置に設けてある。空気孔１８と視認用開口部１９の間の保持部１４ｂの内側面には、空気孔１８より流入する空気流を整流するための整流片２０が形成されている。この整流片２０は、空気孔１８側にテーパ部２０ａを有した凸形状となっている。
【００５４】
このことによって、整流片２０は、空気孔１８より保持部１４ｂ内へ流入した空気流が、視認用開口部１９へ流れていくことを防ぐと共に、整流片２０のテーパ部２０ａによって、空気流を対向電極４の開口部１７へ整流させることができる。
【００５５】
したがって、ハウジング１４に、結露水が放電部１ａに供給されることを外部より視認できる視認用開口部１９を設けることによって、静電霧化装置２を製造する際の検査工程時や商品に組み込んで使用される際においても、放電部１ａへの結露水の供給が行われていること及び放電部１ａにおいて結露水が霧化されていることを、対向電極４の開口部１７へ向かう空気流の整流を妨げることなく、視認することができるので、容易に性能確認及び動作確認を行うことができる。
【００５６】
図７は、本願発明の第３の実施形態である静電霧化装置を示している。ここでは、上記第１の実施形態と相違する事項についてのみ説明し、その他の事項（構成、作用効果等）については、上記第１の実施形態と同様であるのでその説明を省略する。
【００５７】
図７に示すように、保持部１４ｂの外側面又は内側面に、蓋部２１ａが設けられている。この蓋部２１ａは、水平方向（矢印の方向）にスライド可能に形成されたものであり、放電電極１の先端の放電部１ａへの結露水の供給状況を視認する場合には、蓋部２１ａを視認用開口部１９が開口する位置に動かすことができる。また、視認しない場合には、蓋部２１ａを視認用開口部１９を閉塞する位置に動かすことができる。なお、本願発明においては、上記に示されたもの以外に、例えば、図５及び図６に示すように、視認用開口部１９を保持部１４ｂの筒状部４１であって、空気孔１８より対向電極４側に離れた位置に設けた場合にも適用可能である。
【００５８】
このことによって、放電部１ａの結露水の供給状態を視認しない場合に、蓋部２１ａは、視認用開口部１９を閉塞することができるので、視認用開口部１９より流入する空気流を確実に遮断することができる。
【００５９】
図８は、本願発明の第４の実施形態である静電霧化装置を示している。ここでは、上記第２の実施形態と相違する事項についてのみ説明し、その他の事項（構成、作用効果等）については、上記第２の実施形態と同様であるのでその説明を省略する。
【００６０】
図８に示すように、空気孔１８と視認用開口部１９の間の保持部１４ｂの内側面に蓋部２１ｂが形成され、蓋部２１ｂは、視認用開口部１９を開閉するとともに、視認用開口部１９を開口した場合に、保持部１４ｂの内側面より突出して、空気を整流させるものである。蓋部２１ｂは、視認用開口部１９を開閉することができるように、回転方向（矢印の方向）に可動なものである。放電電極１の先端の放電部１ａへの結露水の供給状況を視認する場合には、蓋部２１ｂを視認用開口部１９が開口する位置に動かすことができる。すなわち、蓋部２１ｂは、保持部１４ｂの内側面より突出した状態となる。さらに、蓋部２１ｂは、視認用開口部１９が開口する位置において、空気孔１８側にテーパ部２１０を有するように形成されている。
【００６１】
このことより、蓋部２１ｂは、空気孔１８より保持部１４ｂ内へ流入した空気流が、視認用開口部１９へ流れていくことを防ぐと共に、蓋部２１ｂのテーパ部２１０によって、空気流を対向電極４の開口部１７へ整流させることができる。
【００６２】
また、視認しない場合には、蓋部２１ｂを、視認用開口部１９が閉塞される位置に動かすことができる。このことによって、放電部１ａの結露水の供給状態を視認しない場合に、蓋部２１ｂは、視認用開口部１９を閉塞することができるので、視認用開口部１９より流入する空気流を確実に遮断することができ、さらに空気流を整流する性能を向上させることができる。
【００６３】
したがって、視認用開口部１９が開閉可能であるとともに、結露水が放電部１ａに供給されることを外部より視認しない場合には、視認用開口部１９を閉塞することができ、視認する場合には、蓋部２１ｂは保持部１４ｂの内側面より突出して、空気を整流させることができる。このことによって、放電部１ａの結露水の供給状態を視認しない場合には、視認用開口部１９から流入する空気流を確実に遮断することができるとともに、視認する場合には、視認用開口部１９を開口すると蓋部２１ｂが整流片として機能することから、対向電極４の開口部１７へ向かって流れる空気流を整流する性能を向上させることができる。
【００６４】
図９は、本願発明の第１〜４の実施形態である静電霧化装置であって、視認用開口部１９を放電電極１を中心に対向するよう設けていない場合における検査システムを示している。
【００６５】
図９に示すように、視認用開口部１９の外側正面に照明器具６１とカメラ６２を配し、放電部１ａにおける結露水の供給状態及び霧化状態をカメラ６２にて撮像するようにしている。照明器具６１の光源は、輝度の高い光を発することが望ましく、例えば、ＬＥＤ、ハロゲンランプ、蛍光灯、キセノン放電管などがよい。また、照明器具６１の光源の形状は、対象を集中的に照射することが望ましく、例えば、リング状光源、スポット光源、ドーム光源、フラット光源などがよい。カメラ６２は、ＣＣＤカメラ、ＣＭＯＳカメラ等を適宜使用する。
【００６６】
図９では、照明器具６１としてＬＥＤリング照明を静電霧化装置２の視認用開口部１９の外側正面に配し、ＬＥＤリング照明の後方にカメラ６２としてＣＣＤカメラを配置している。なお、必要に応じて、ＣＣＤカメラのレンズ前面に偏向フィルタやカラーフィルタを置いて、カメラ６２で得られる撮像の光量等を調整してもよい。
【００６７】
したがって、視認用開口部１９の外側正面から照明器具６１の光源を用い、カメラ６２にて放電部１ａにおける結露水の供給状態及び霧化状態を撮像するため、視認用開口部１９から入射された光が筒状部４１の内側面で反射して放電部１ａの輪郭のコントラストを上げるとともに、特に、筒状部４１の内側面を白色とした場合には、撮像の背景が白色となり、放電部１ａにおける結露水の供給状態及び霧化状態をより視認しやすくすることができる。
【００６８】
図１０は、本願発明の第１〜４の実施形態である静電霧化装置であって、視認用開口部１９を放電電極１を中心に対向するよう設けた場合における検査システムを示している。ここでは、上記視認用開口部１９を放電電極１を中心に対向するよう設けていない場合と相違する事項についてのみ説明し、その他の事項（構成、作用効果等）については、上記視認用開口部１９を放電電極１を中心に対向するよう設けていない場合と同様であるのでその説明を省略する。
【００６９】
図１０に示すように、一方の視認用開口部１９の外側正面に照明器具６１とカメラ６２を配し、他方の視認用開口部１９の外側正面にカメラ６２と対向するよう反射板５１を設置し、放電部１ａにおける結露水の供給状態及び霧化状態をカメラ６２にて撮像するようにしている。反射板５１は、例えば、白色の樹脂板、白色塗装した金属板、アルミナ等のセラミック板、アルミ反射板、金成膜反射板、銀成膜反射板などがよい。
【００７０】
図１０では、照明器具６１としてＬＥＤリング照明を一方の視認用開口部１９の外側正面に配し、ＬＥＤリング照明の後方にカメラ６２としてＣＣＤカメラを配置し、他方の視認用開口部１９の外側正面にカメラ６２と対向するよう反射板５１としてアルミ反射板を設置している。なお、反射板５１の代わりに照明器具６１を他方の視認用開口部１９の外側正面に配置してもよい。
【００７１】
したがって、一方の視認用開口部１９から入射して他方の視認用開口部１９を通過した光だけでなく、一方の視認用開口部１９から入射しなかった光も反射板５１にて反射して他方の視認用開口部１９からの入射光とすることができるので、両方の視認用開口部１９から光を効率的に集めることができるため、放電部１ａの輪郭のコントラストが上がり、放電部１ａにおける結露水の供給状態及び霧化状態をより視認しやすくすることができる。
【図面の簡単な説明】
【００７２】
【図１】本願発明の第１の実施形態である静電霧化装置の斜視図である。
【図２】同静電霧化装置の上面図である。
【図３】同静電霧化装置の図２のＡ−Ａ線の断面図である。
【図４】同静電霧化装置の図２のＢ−Ｂ線の断面図である。
【図５】本願発明の第２の実施形態である静電霧化装置の断面図である。
【図６】同静電霧化装置の断面図である。
【図７】本願発明の第３の実施形態である静電霧化装置の断面図である。
【図８】本願発明の第４の実施形態である静電霧化装置の断面図である。
【図９】本願発明の第１〜４の実施形態である静電霧化装置であって、視認用開口部を放電電極を中心に対向するよう設けていない場合における検査システムを示す概略図である。
【図１０】本願発明の第１〜４の実施形態である静電霧化装置であって、視認用開口部を放電電極を中心に対向するよう設けた場合における検査システムを示す概略図である。
【図１１】従来例である静電霧化装置の斜視図である。
【符号の説明】
【００７３】
１  放電電極
１ａ  放電部
２  静電霧化装置
３  吸熱体
４  対向電極
１０  ペルチェモジュール
１２  冷却用絶縁板
１３  放熱部
１３ａ  放熱フィン
１４  ハウジング
１４ａ  ハウジング本体部
１４ｂ  保持部
１７  開口部
１９  視認用開口部
２０  整流片
２１  蓋部
４１  筒状部
４２  脚部
５１  反射板
６１  照明器具
６２  カメラ
【図１】
0005029316.tif 000002
【図２】
0005029316.tif 000003
【図３】
0005029316.tif 000004
【図４】
0005029316.tif 000005
【図５】
0005029316.tif 000006
【図６】
0005029316.tif 000007
【図７】
0005029316.tif 000008
【図８】
0005029316.tif 000009
【図９】
0005029316.tif 000010
【図１０】
0005029316.tif 000011
【図１１】
0005029316.tif 000012